(57)【特許請求の範囲】
【請求項１】
複合押出成形により補強用の芯材が埋設された加硫済みゴム製の長尺な連続トリム材を所定長さに切断したトリム材本体の切断端面の少なくとも前記芯材に対応する部分（以下「被覆予定端面」という）を被覆部で被覆したトリム材を製造する方法であって、
前記トリム材本体を把持するための把持型と、前記被覆部を成形するための成形型とが接近及び離間可能に対向して配置され、前記把持型には前記トリム材本体の被覆予定端面を前記成形型と対向するように露出させた状態で該トリム材本体を把持する把持部が設けられていると共に、前記成形型には前記被覆部の少なくとも一部を成形する被覆部成形部が前記把持型と対向するように設けられ、前記把持型と前記成形型のうちの少なくとも一方にヒータが設けられて、該ヒータにより前記把持型と前記成形型の温度が前記被覆部を成形するゴム材料を加硫可能な温度まで上昇される装置を用い、
前記把持型に対する前記トリム材本体の移動が阻止されるように前記把持型に前記トリム材本体を把持させる把持工程と、
前記把持型と前記成形型とを当接させた状態で前記把持型に把持された前記トリム材本体の被覆予定端面と前記成形型の被覆部成形部との間に形成されるキャビティの容積を上回る体積を有する未加硫のシート状のゴム材料を前記把持型と前記成形型とを離間させた状態で前記トリム材本体の被覆予定端面と前記被覆部成形部との間に配置するゴム材料配置工程と、
前記ゴム材料配置工程の後に前記把持型と前記成形型の少なくとも一方を移動させて両型の対向面同士を当接させることで前記トリム材本体の被覆予定端面と前記被覆部成形部との間に前記キャビティを形成して前記トリム材本体の被覆予定端面と前記被覆部成形部との間に挟まれた前記ゴム材料を厚さ方向に圧縮すると共に該厚さ方向と交差する方向に流動させて前記トリム材本体の被覆予定端面と前記被覆部成形部との間に形成された前記キャビティ内に前記ゴム材料を充填して前記被覆部を成形する成形工程と、
前記把持型と前記成形型からの伝導熱で前記ゴム材料を加熱して加硫硬化させると共に前記トリム材本体の被覆予定端面に前記ゴム材料で成形された前記被覆部を加硫接合させる接合工程と、
前記把持型による前記トリム材本体の把持を解除する把持解除工程と、
前記把持型から前記被覆部が一体的に形成されたトリム材を取り出す取出工程と
を含み、
前記成形工程において、前記トリム材本体の被覆予定端面に存在する空隙に前記ゴム材料の一部を入り込ませることを特徴とするトリム材の製造方法。
【請求項２】
前記ゴム材料配置工程において、前記トリム材本体の被覆予定端面と前記被覆部成形部との間に配置するシート状のゴム材料は、前記トリム材本体の被覆予定端面を上回る外形を有するように形成されていることを特徴とする請求項１に記載のトリム材の製造方法。
【請求項３】
前記被覆部の断面形状が前記トリム材本体の切断端面の形状とほぼ同じになるように形成されることを特徴とする請求項１又は２に記載のトリム材の製造方法。
【請求項４】
前記把持型と前記成形型は、一直線上で対向するように配置されていることを特徴とする請求項１乃至３のいずれかに記載のトリム材の製造方法。
【請求項５】
前記把持型に、前記トリム材本体を位置決めする位置決め部材が設けられ、
前記把持工程において、前記把持型に前記トリム材本体を把持させる際に前記トリム材本体の切断端面を前記位置決め部材に突き当てることで前記トリム材本体を位置決めすることを特徴とする請求項１乃至４のいずれかに記載のトリム材の製造方法。
【請求項６】
前記把持型の把持部及び／又は前記成形型の被覆部成形部が入れ子に形成されていることを特徴とする請求項１乃至５のいずれかに記載のトリム材の製造方法。
【請求項７】
前記成形型に、前記キャビティ内のガスを該キャビティ外へ逃がすガス抜き手段が設けられていることを特徴とする請求項１乃至６のいずれかに記載のトリム材の製造方法。
【請求項８】
前記成形型の被覆部成形部が複数の入れ子に形成され、
前記ガス抜き手段は、前記複数の入れ子の合わせ面に形成された微小隙間であることを特徴とする請求項７に記載のトリム材の製造方法。
【請求項９】
前記ガス抜き手段は、前記成形型の被覆部成形部の少なくとも１箇所に設けられたガス抜き溝であることを特徴とする請求項７に記載のトリム材の製造方法。
【請求項１０】
前記成形型の被覆部成形部の外周に沿って切断刃が設けられ、
前記成形工程において、前記トリム材本体の被覆予定端面と前記被覆部成形部との間に形成されたキャビティ内に前記ゴム材料を充填して前記被覆部を成形する際に前記ゴム材料のうちの前記被覆部成形部の外周側にはみ出た部分を前記切断刃で切断することを特徴とする請求項１乃至９のいずれかに記載のトリム材の製造方法。
【請求項１１】
前記トリム材は、シール部が一体的に形成された自動車用のウェザーストリップであることを特徴とする請求項１乃至１０のいずれかに記載のトリム材の製造方法。
【請求項１２】
複合押出成形により補強用の芯材が埋設された加硫済みゴム製の長尺な連続トリム材を所定長さに切断したトリム材本体の切断端面の少なくとも前記芯材に対応する部分（以下「被覆予定端面」という）を被覆部で被覆したトリム材を製造する装置であって、
前記トリム材本体を把持するための把持型と、前記被覆部を成形するための成形型とが接近及び離間可能に対向して配置され、前記把持型には前記トリム材本体の被覆予定端面を前記成形型と対向するように露出させた状態で該トリム材本体を把持する把持部が設けられていると共に、前記成形型には前記被覆部の少なくとも一部を成形する被覆部成形部が前記把持型と対向するように設けられ、前記把持型と前記成形型のうちの少なくとも一方にヒータが設けられて、該ヒータにより前記把持型と前記成形型の温度が前記被覆部を成形するゴム材料を加硫可能な温度まで上昇され、
前記把持型と前記成形型とを離間させることで前記把持型に把持された前記トリム材本体の被覆予定端面と前記成形型の被覆部成形部との間に未加硫のシート状のゴム材料を配置するスペースが形成され、前記把持型と前記成形型の少なくとも一方を移動させて両型の対向面同士を当接させることで前記把持型に把持された前記トリム材本体の被覆予定端面と前記成形型の被覆部成形部との間に前記被覆部を成形するキャビティが形成され、
前記キャビティは、前記未加硫のシート状のゴム材料の体積を下回る容積を有し、前記トリム材本体の被覆予定端面に存在する空隙に該ゴム材料の一部を入り込ませるように構成されていることを特徴とするトリム材の製造装置。
【請求項１３】
前記把持型の把持部及び／又は前記成形型の被覆部成形部が入れ子に形成されていることを特徴とする請求項１２に記載のトリム材の製造装置。
【請求項１４】
前記成形型に対して前記被覆部成形部が形成された入れ子が前記把持型と接近及び離間する方向に位置調整可能に設けられていることを特徴とする請求項１３に記載のトリム材の製造装置。
【請求項１５】
前記成形型に、前記キャビティ内のガスを該キャビティ外へ逃がすガス抜き手段が設けられていることを特徴とする請求項１２乃至１４のいずれかに記載のトリム材の製造装置。
【請求項１６】
前記成形型の被覆部成形部が複数の入れ子に形成され、
前記ガス抜き手段は、前記複数の入れ子の合わせ面に形成された微小隙間であることを特徴とする請求項１５に記載のトリム材の製造装置。
【請求項１７】
前記ガス抜き手段は、前記成形型の被覆部成形部の少なくとも１箇所に設けられたガス抜き溝であることを特徴とする請求項１５に記載のトリム材の製造装置。
【請求項１８】
前記成形型の被覆部成形部は、略Ｕ溝形状に形成されていることを特徴とする請求項１２乃至１７のいずれかに記載のトリム材の製造装置。
【請求項１９】
前記成形型の被覆部成形部の外周に沿って切断刃が設けられ、前記トリム材本体の被覆予定端面と前記被覆部成形部との間に形成されたキャビティ内に前記ゴム材料を充填して前記被覆部を成形する際に前記ゴム材料のうちの前記被覆部成形部の外周側にはみ出た部分を前記切断刃で切断することを特徴とする請求項１２乃至１８のいずれかに記載のトリム材の製造装置。
【発明の詳細な説明】
【技術分野】
【０００１】
本発明は、補強用の芯材が埋設された長尺な連続トリム材を所定長さに切断したトリム材本体の切断端面を被覆したトリム材の製造方法及び製造装置に関する発明である。
【背景技術】
【０００２】
例えば、車両のドア開口縁に沿って装着されるトリム材は、ゴム等のポリマー材料の押出成形により金属製や樹脂製の長尺な芯材を連続して埋設して一体化して補強することで、ドア開口縁に安定して固定できるようにしている。
【０００３】
このように補強用の芯材が埋設されたトリム材は、押出成形により連続的に成形された連続トリム材を所定の長さで切断して形成されるため、トリム材の切断端面には芯材が露出する。トリム材の切断端面に芯材が露出した状態でトリム材を使用すると、芯材が金属製の場合には、芯材が錆びて錆汁がトリム材や被取付体（部）に付着して見栄えが悪くなるおそれがある。また、トリム材の切断端面に露出した芯材の切断端面が被取付体（部）に当って被取付体（部）を傷付けたり、芯材の切断端面で作業者が怪我をするおそれもある。
【０００４】
この対策として、特許文献１（特開２０００−２４７１９０号公報）に記載されているように、トリム材を被取付部に装着する際に、切断端面に露出した芯材の端末部を切断及び除去して、トリム材の切断端面に芯材が露出しないようにしたものがある。
【０００５】
また、トリム材の切断端面に液状やペースト状の被覆剤（芯材が金属製の場合には防錆剤）を塗布して、トリム材の切断端面に芯材が露出しないようにしたものもある。
【特許文献１】特開２０００−２４７１９０号公報（第２頁等）
【発明の開示】
【発明が解決しようとする課題】
【０００６】
しかし、上記特許文献１の技術のように、トリム材の切断端面に露出した芯材の端末部を切断及び除去しても、トリム材の切断端面から内部に浸入した水分で芯材が錆びて錆汁がトリム材の切断端面から流れ出る可能性があり、錆汁がトリム材の表面や被取付部に付着して見栄えが悪くなるおそれがある。
【０００７】
また、トリム材の切断端面に防錆塗料等の被覆剤を塗布する場合、一般に防錆剤等の被覆剤は手作業で塗布するため、被覆剤の量の塗布ばらつきが大きく、また被覆剤が塗布されていない部分で芯材の錆びが発生したり、或は、被覆剤が切断端面の全面に塗布されていても乾燥後の厚さが数十ミクロン程度にしか塗布できないので、被覆剤の被膜では芯材の突出を覆いきれないことがあり、芯材の切断端面で被取付部が傷付いたり作業者が怪我をするおそれもある。
【０００８】
本発明は、このような事情を考慮してなされたものであり、従って本発明の目的は、トリム材の切断端面に芯材が露出することを確実に防止できるようにすることにある。
【課題を解決するための手段】
【０００９】
上記目的を達成するために、請求項１に係る発明は、複合押出成形により補強用の芯材が埋設された加硫済みゴム製の長尺な連続トリム材を所定長さに切断したトリム材本体の切断端面の少なくとも芯材に対応する部分（以下「被覆予定端面」という）を被覆部で被覆したトリム材を製造する方法であって、トリム材本体を把持するための把持型と、被覆部を成形するための成形型とを接近及び離間可能に対向して配置され、把持型にはトリム材本体の被覆予定端面を成形型と対向するように露出させた状態で該トリム材本体を把持する把持部が設けられていると共に、成形型には被覆部の少なくとも一部を成形する被覆部成形部が把持型と対向するように設けられ、前記把持型と前記成形型のうちの少なくとも一方にヒータが設けられて、該ヒータにより前記把持型と前記成形型の温度が前記被覆部を成形するゴム材料を加硫可能な温度まで上昇される装置を用い、把持型に対するトリム材本体の移動が阻止されるように把持型にトリム材本体を把持させる把持工程と、把持型と成形型とを当接させた状態で把持型に把持されたトリム材本体の被覆予定端面と成形型の被覆部成形部との間に形成されるキャビティの容積を上回る体積を有する未加硫のシート状のゴム材料を把持型と成形型とを離間させた状態でトリム材本体の被覆予定端面と被覆部成形部との間に配置するゴム材料配置工程と、このゴム材料配置工程の後に把持型と成形型の少なくとも一方を移動させて両型の対向面同士を当接させることでトリム材本体の被覆予定端面と被覆部成形部との間にキャビティを形成してトリム材本体の被覆予定端面と被覆部成形部との間に挟まれたゴム材料を厚さ方向に圧縮すると共に該厚さ方向と交差する方向に流動させてトリム材本体の被覆予定端面と被覆部成形部との間に形成されたキャビティ内にゴム材料を充填して被覆部を成形する成形工程と、把持型と成形型からの伝導熱でゴム材料を加熱して加硫硬化させると共にトリム材本体の被覆予定端面にゴム材料で成形された被覆部を加硫接合させる接合工程と、把持型によるトリム材本体の把持を解除する把持解除工程と、把持型から被覆部が一体的に形成されたトリム材を取り出す取出工程とを実行し、前記成形工程において、トリム材本体の被覆予定端面に存在する空隙にゴム材料の一部を入り込ませるようにしたものである。この場合、トリム材本体を製造する工程の後に、本発明のトリム材の製造方法（把持工程、ゴム材料配置工程、成形工程、接合工程、把持解除工程、取出工程）を実行するようにしても良い。或は、予め製造されたトリム材本体を購入や支給等により入手して、本発明のトリム材の製造方法を実行するようにしても良い。
【００１０】
本発明のトリム材の製造方法では、シート状のゴム材料で被覆部を成形して、トリム材本体の被覆予定端面（切断端面の少なくとも芯材に対応する部分）に被覆部を接合することができるため、トリム材本体の被覆予定端面を被覆部で被覆することができ、トリム材の切断端面に芯材が露出することを確実に防止することができる。これにより、芯材の切断端面の錆びを防止することができ、錆汁によるトリム材や被取付部の見栄えの悪化を未然に防止することができると共に、芯材の切断端面による被取付部の傷付きや作業者の怪我を未然に防止することができる。
【００１１】
また、トリム材本体の被覆予定端面と被覆部成形部との間に形成されたキャビティで被覆部を成形することができるため、芯材の露出を防止する形状の被覆部をばらつきなく安定して成形することができる。更に、トリム材本体の被覆予定端面に被覆部を加硫接合させることができるため、トリム材本体の被覆予定端面に被覆部を強固に接合することができる。
更に、成形工程において、トリム材本体の被覆予定端面に存在する空隙にゴム材料の一部を入り込ませるようにするので、ゴムの加硫接合に加えて、空隙に入り込んだゴムによる物理的な接合（即ち、接合面積の増加）も加わり、トリム材の被覆予定端面に被覆部をより強固に接合することができる。
【００１２】
この場合、請求項２のように、ゴム材料配置工程において、トリム材本体の被覆予定端面と被覆部成形部との間に配置するシート状のゴム材料は、トリム材本体の被覆予定端面を上回る外形を有するように形成すると良い。このようにすれば、トリム材本体の被覆予定端面を上回る外形のシート状のゴム材料で被覆部を成形することができるので、トリム材本体の被覆予定端面を被覆するのに十分な大きさの被覆部を確実に成形することができる。
【００１３】
また、請求項３のように、被覆部の断面形状をトリム材本体の切断端面の形状とほぼ同じになるように形成するようにすると良い。このようにすれば、トリム材本体に対して段差なく連続的に被覆部を接合することができ、トリム材の端末の見栄えを向上させることができる。
【００１４】
更に、請求項４のように、把持型と成形型は、一直線上で対向するように配置すると良い。このようにすれば、トリム材本体の被覆予定端面に対して被覆部（シート状のゴム材料）をほぼ直角に押圧して接合することができ、トリム材本体の被覆予定端面に被覆部を確実に且つ強固に接合することができる。
【００１６】
また、請求項５のように、把持型に、トリム材本体を位置決めする位置決め部材を設け、把持工程において、把持型にトリム材本体を把持させる際にトリム材本体の切断端面を位置決め部材に突き当てることでトリム材本体を位置決めするようにしても良い。このようにすれば、把持型にトリム材本体を把持させる際にトリム材本体を簡単に位置決めすることができる。
【００１７】
また、請求項６、１３のように、把持型の把持部及び／又は成形型の被覆部成形部を入れ子に形成するようにしても良い。このようにすれば、入れ子を交換することで、他の断面形状のトリム材に対応することができる。また、入れ子を取り外した状態で清掃、修理等のメインテナンス作業を行うことができ、メインテナンス作業が容易になる。
【００１８】
更に、請求項７、１５のように、成形型に、キャビティ内に残るガス（空気）を該キャビティ外へ逃がすガス抜き手段を設けるようにすると良い。このようにすれば、被覆部を成形する際に、キャビティ内のガスをガス抜き手段によってキャビティ外へ逃がすことで、キャビティ内にガスが滞留することを防止して、被覆部にガス溜りに起因して生じる欠肉が発生することを防止できる。
【００１９】
具体的には、請求項８、１６のように、成形型の被覆部成形部が複数の入れ子に形成されている場合、ガス抜き手段として、複数の入れ子の合わせ面に微小隙間を形成するようにすると良い。このようにすれば、キャビティ内のガスを、成形型の入れ子の合わせ面に設けた又は合わせ面に生じた微小隙間を介してキャビティ外へ逃がすことができる。
【００２０】
或は、請求項９、１７のように、ガス抜き手段として、成形型の被覆部成形部の成形面の少なくとも１箇所にガス抜き溝を設けるようにしても良い。このようにすれば、キャビティ内のガスを、該被覆部成形部の成形面に設けたガス抜き溝を介してキャビティ外へ逃がすことができる。
【００２１】
また、請求項１０、１９のように、成形型の被覆部成形部の外周に沿って切断刃を設け、トリム材本体の被覆予定端面と被覆部成形部との間に形成されたキャビティ内にゴム材料を充填して被覆部を成形する際にゴム材料のうちの被覆部成形部の外周側にはみ出た部分を切断刃で切断するようにしても良い。このようにすれば、被覆部の成形と同時にゴム材料のうちの被覆部成形部の外周側にはみ出た部分を切断刃で切断する（つまり被覆部の外周に沿ってゴム材料を切断する）ことができるので、取出工程後に被覆部の外周に沿ってゴム材料を切断する工程を別途設ける必要がなくなる。
【００２２】
本発明は、請求項１１のように、シール部が一体的に形成された自動車用のウェザーストリップに適用しても良い。このようにすれば、ウェザーストリップの切断端面に芯材が露出することを確実に防止することができる。
【００２３】
また、本発明のトリム材の製造装置は、請求項１２のように、トリム材本体を把持するための把持型と、被覆部を成形するための成形型とを接近及び離間可能に対向して配置し、把持型にはトリム材本体の被覆予定端面を成形型と対向するように露出させた状態で該トリム材本体を把持する把持部を設けると共に、成形型には被覆部の少なくとも一部を成形する被覆部成形部を把持型と対向するように設け、把持型と成形型のうちの少なくとも一方にヒータを設けて、該ヒータにより把持型と成形型の温度を被覆部を成形するゴム材料を加硫可能な温度まで上昇させ、把持型と成形型とを離間させることで把持型に把持されたトリム材本体の被覆予定端面と成形型の被覆部成形部との間に未加硫のシート状のゴム材料を配置するスペースが形成され、把持型と成形型の少なくとも一方を移動させて両型の対向面同士を当接させることで把持型に把持されたトリム材本体の被覆予定端面と成形型の被覆部成形部との間に被覆部を成形するキャビティが形成され、該キャビティは、未加硫のシート状のゴム材料の体積を下回る容積を有し、トリム材本体の被覆予定端面に存在する空隙に該ゴム材料の一部を入り込ませるように構成すると良い。この製造装置を用いれば、トリム材本体の被覆予定端面を被覆部で被覆したトリム材を容易に製造することができる。
【００２４】
また、請求項１４のように、成形型に対して被覆部成形部が形成された入れ子を把持型と接近及び離間する方向に位置調整可能に設けるようにしても良い。このようにすれば、把持型と成形型とを当接状態（全閉状態）にしたときに、成形型の被覆部成形部が把持型に過度に押しつけられないように、被覆部成形部が形成された入れ子の位置を調整することができる。
【００２５】
更に、請求項１８のように、成形型の被覆部成形部は、略Ｕ溝形状に形成するようにしても良い。このようにすれば、先端面の隅部が面取りされた形状の被覆部を容易に得ることができる。
【発明を実施するための最良の形態】
【００２６】
以下、本発明を実施するための最良の形態を具体化した幾つかの実施例を説明する。
【実施例１】
【００２７】
本発明の実施例１を図１乃至図７に基づいて説明する。
図１に示すように、自動車の車体パネル１１（被取付体）のリアドア開口縁１２（被取付部）に沿って装着される長尺なウェザーストリップ１３（トリム材）は、リアドア開口縁１２の上側部に装着される上側ウェザーストリップ１４と、リアドア開口縁１２の前側部に装着される前側ウェザーストリップ１５と、リアドア開口縁１２の後側部に装着される後側ウェザーストリップ１６と、上側ウェザーストリップ１４の前端部と前側ウェザーストリップ１５の上端部とを接合する前側コーナー部１７と、上側ウェザーストリップ１４の後端部と後側ウェザーストリップ１６の上端部とを接合する後側コーナー部１８とから構成されている。また、前側ウェザーストリップ１５の下端部と後側ウェザーストリップ１６の下端部は接合されずに離れた状態で、別に成形されたカバー部材１９によって覆われている。
【００２８】
次に、前側及び後側ウェザーストリップ１５，１６（つまり下端部が他のウェザーストリップと接続されないウェザーストリップ）の構成について説明する。但し、前側及び後側ウェザーストリップ１５，１６の要部は実質的に同じ構成であるため、図２及び図３を用いて、前側ウェザーストリップ１５の構成について説明し、後側ウェザーストリップ１６の構成については説明を省略する。
【００２９】
図２に示すように、前側ウェザーストリップ１５は、複合押出成形（共押出成形ともいう）により連続的に成形されて補強用の芯材２５（図３参照）が埋設された加硫済みゴム製の長尺な連続ウェザーストリップ（連続トリム材）を所定長さに切断したウェザーストリップ本体２０（トリム材本体）と、このウェザーストリップ本体２０の切断端面のうちの後述する被覆予定端面２１（図３参照）を被覆するゴム製の被覆部２２とから構成されている。
【００３０】
図３に示すように、ウェザーストリップ本体２０は、ＥＰＤＭ等のゴム材料の押出成形により横断面略Ｕ字形状でソリッドゴム又は僅かに発泡したゴムからなる取付部２３と、この取付部２３の車外側の一側面にスポンジゴム製の中空シール部２４とが一体的に形成され、取付部２３には、金属板で形成された補強用の芯材２５が複合押出成形により埋設されている。また、取付部２３の車外側側壁２３ａの内周面及び車内側側壁２３ｂの内周面には、それぞれ内側に向けて突出する１つ又は複数の保持リップ２６が一体的に形成されている。
【００３１】
車体パネル１１のリアドア開口縁１２に沿って設けられたフランジ（図示せず）に前側ウェザーストリップ１５の取付部２３を被せたときに、保持リップ２６が弾性変形してフランジを車外側と車内側の両側から挟むことで、前側ウェザーストリップ１５がフランジに装着される。
【００３２】
芯材２５は、長尺な略帯板状の芯材素材（金属板）を打ち抜き加工することにより、長手方向に沿って所定間隔で配置された複数の芯材片部２７と、これら複数の芯材片部２７を長手方向に連結する連結部２８とが一体的に形成されている。
【００３３】
また、ウェザーストリップ本体２０の切断端面のうちの中空シール部２４と保持リップ２６を除いた部分（つまり芯材２５が埋設された取付部２３の切断端面）が被覆予定端面２１であり、図２に示すように、この被覆予定端面２１が被覆部２２によって被覆されている。この被覆部２２は、後述する製造方法によりＥＰＤＭ等の未加硫ゴム材料で形成されたシート状のゴム材料２９（図７参照）を用いて成形されると共に加硫接合により被覆予定端面２１に一体的に接合されている。
【００３４】
被覆部２２の厚さ寸法が厚過ぎると、被覆部２２の成形時に被覆部２２を成形するシート状のゴム材料２９を厚くする必要があり、被覆部２２の加硫が完了するまでに長時間を要するおそれがある。逆に、被覆部２２の厚さ寸法が薄過ぎると、芯材２５の切断端面が被覆部２２から突出するおそれがある。これらの事情を考慮して、被覆部２２の厚さ寸法は、例えば０．５〜５ｍｍ（好ましくは１〜３ｍｍ、より好ましくは１．５〜２．５ｍｍ）に設定されている。
【００３５】
次に、図４乃至図７を用いて、前側ウェザーストリップ１５の製造装置３０（被覆部２２の成形装置）について説明する。
図４に示すように、前側ウェザーストリップ１５の製造装置３０は、取付板３１の上面に、把持型３２と二本のスライドレール３３がボルト３４等によって固定され、このスライドレール３３に沿って成形型３５を把持型３２に対して接近及び離間する方向にスライド移動可能に設けることで、把持型３２と成形型３５とが一直線上で対向するように配置されている。成形型３５は、駆動手段としてのエアシリンダ３６のシリンダロッド３６ａに連結され、このエアシリンダ３６によって成形型３５が把持型３２に対して接近移動（接近する方向にスライド移動）又は離間移動（離間する方向にスライド移動）するようになっている。
【００３６】
図５に示すように、把持型３２には、上型３７と下型３８が開閉可能に設けられている。下型３８に固定されたガイドピン３９に、上型３７に設けられたガイドブッシュ４０が挿通されることで、上型３７がガイドピン３９に沿って上下方向にスライド移動できるようになっている。また、下型３８の側面には、支持フレーム４１がボルト４２等によって固定され、この支持フレーム４１の上部に、エアシリンダ４３（図４参照）が取り付けられている。上型３７は、エアシリンダ４３のシリンダロッド４３ａに連結され、このエアシリンダ４３によって上型３７がガイドピン３９に沿って上方に移動して把持型３２を開放する開放位置と、ガイドピン３９に沿って下方に移動して把持型３２を閉鎖する閉鎖位置との間を移動するようになっている。
【００３７】
把持型３２の上型３７には、上型入れ子４４が着脱可能に設けられ、この上型入れ子４４の下面に、ウェザーストリップ本体２０の上側の外面（リアドア開口縁１２に装着されたときに内周側になる外面）を把持するための上型把持部４６が、ウェザーストリップ本体２０の上側の外面形状に対応したほぼ同じ形状に形成されている。一方、把持型３２の下型３８には、下型入れ子４５が着脱可能に設けられ、この下型入れ子４５の上面に、ウェザーストリップ本体２０の下側の外面（リアドア開口縁１２に装着されたときに外周側になる外面）を把持するための下型把持部４７が、ウェザーストリップ本体２０の下側の外面形状に対応したほぼ同じ形状に形成されている。
【００３８】
これらの上型把持部４６と下型把持部４７は、ウェザーストリップ本体２０の被覆予定端面２１（取付部２３の切断端面）を成形型３５と対向するように露出させた状態で該ウェザーストリップ本体２０を上下方向及び左右方向に位置決めして把持するように設けられている。
【００３９】
また、図５及び図７に示すように、把持型３２の下型３８の端面には、ウェザーストリップ本体２０を長手方向で位置決めするための位置決め板４８（位置決め部材）が対向面３２ａから後退した位置にボルト４９等によって固定されている。この位置決め板４８は、ウェザーストリップ本体２０の中空シール部２４の切断端面に対応する部分に配置され、下型３８にウェザーストリップ本体２０をセットする際に、ウェザーストリップ本体２０の中空シール部２４の切断端面を位置決め板４８に当接させることで、ウェザーストリップ本体２０の被覆予定端面２１（取付部２３の切断端面）が把持型３２の対向面３２ａから所定寸法（位置決め板４８の厚さと同一寸法）だけ後退した位置に位置決めされるようになっている。
【００４０】
一方、図６に示すように、成形型３５には、一対の入れ子５０，５１が着脱可能に設けられ、これらの入れ子５０，５１に、被覆部２２を成形するための被覆部成形部５２が把持型３２と対向するように設けられている。この被覆部成形部５２は、ウェザーストリップ本体２０の長手方向における被覆部２２の横断面形状がウェザーストリップ本体２０の取付部２３の切断端面の形状に対応したほぼ同じ形状になるように形成されている。これにより、ウェザーストリップ本体２０の取付部２３に対して段差なく連続的に被覆部２２を接合することができ、前側ウェザーストリップ１５の端末の見栄えを向上させることができる。また、被覆部成形部５２を窪ませて、窪みの横断面形状を略Ｕ溝形状に形成するようにしても良く、このようにすれば、被覆部２２の先端面の隅部が面取りされた形状を容易に得ることができる。また、把持型３２の形状やウェザーストリップ本体２０の配置によっては、被覆部成形部５２の形状を平坦面や凸形状にすることもできる。
【００４１】
一対の入れ子５０，５１は、上下方向に分割されるように形成され、各入れ子５０，５１に設けられた合わせ孔５４に合わせピン５５を挿通することで、入れ子５０，５１同士を固定し位置ずれが防止されるようになっている。また、入れ子５０，５１の合わせ面（割り面）には、被覆部２２の成形時に後述するキャビティ５２ａ（把持型３２に把持されたウェザーストリップ本体２０の被覆予定端面２１と成形型３５の被覆部成形部５２との間に形成されるキャビティ）内に残るガス（空気）を該キャビティ５２ａの外へ逃がすための微小隙間５３（ガス抜き手段）が生じ又は設けられている。被覆部２２を成形する際に、キャビティ５２ａ内のガスを入れ子５０，５１の合わせ面に形成した微小隙間５３を介してキャビティ５２ａの外へ逃がすことで、キャビティ５２ａ内にガスが滞留することを防止して、被覆部２２にガス溜りに起因する欠肉が発生することを防止する。この微小隙間５３は、キャビティ５２ａ内のガスが逃げ易く且つ被覆部２２のゴム材料が入り込み難くなるように、例えば０．０１〜０．０３ｍｍに設定されている。
【００４２】
尚、入れ子５０，５１の合わせ面からガスが抜け難い分割方法の場合、或は、成形型３５の入れ子を分割しない場合や入れ子を設けない場合には、成形型３５の被覆部成形部５２の成形面の少なくとも１箇所（例えば後述する切断刃５６）にガス抜き溝（ガス抜き手段）を設けるようにしても良い。このようにすれば、キャビティ５２ａ内のガスを、被覆部成形部５２の成形面に設けたガス抜き溝を介してキャビティ５２ａの外へ逃がすことができる。また、入れ子５０，５１全体又は被覆部成形部５２を形成する部分の少なくとも一部を、焼結金属等の多孔質体で形成しても良い。
【００４３】
図６及び図７に示すように、入れ子５０，５１には、被覆部２２の外周に沿ってシート状のゴム材料２９の余分な部分（被覆部成形部５２の外周側にはみ出した部分）を切断するための切断刃５６が、被覆部成形部５２の外周に沿って環状に設けられている。この切断刃５６の外周側には、切断されたシート状のゴム材料２９の外周部（はみ出し部）を受け入れるための逃げ部５７が設けられている。
【００４４】
また、図７に示すように、成形型３５の対応面３５ａ側には、入れ子５０，５１をスライド移動させて位置を調整可能に保持する保持凹部５８が設けられ、この保持凹部５８内に保持された入れ子５０，５１の裏面側に、クッション体５９と受け板６０が配置されている。一方、成形型３５の対応面３５ａと反対側には、複数のネジ孔６１が保持凹部５８まで貫通するように設けられ、各ネジ孔６１に、それぞれ入れ子位置調整ボルト６２が捩じ込まれて、各入れ子位置調整ボルト６２の先端部が受け板６０に当接している。
【００４５】
これにより、各入れ子位置調整ボルト６２の捩じ込み量を調整することで、成形型３５に対して入れ子５０，５１を把持型３２と接近及び離間する方向に位置調整でき、把持型３２と成形型３５とを当接状態（全閉状態）にしたときに、成形型３５の被覆部成形部５２が把持型３２に過度に押しつけられないように、入れ子５０，５１の位置を調整することができる。また、各入れ子位置調整ボルト６２には、入れ子位置調整ボルト６２の捩じ込み量を調整後に固定するためのロックナット６３が螺合されている。
【００４６】
また、把持型３２と成形型３５には、それぞれ複数のヒータ６４，６５（図５及び図６参照）が内蔵され、これらのヒータ６４，６５で加熱された把持型３２や成形型３５からの伝導熱でシート状のゴム材料２９を加熱すると共にシート状のゴム材料２９を加硫させるようになっている。
【００４７】
製造装置３０は、図７に実線で示すように、成形型３５を後退させて把持型３２と成形型３５とを離間させることで把持型３２に把持されたウェザーストリップ本体２０の被覆予定端面２１と成形型３５の被覆部成形部５２との間に未加硫のシート状のゴム材料２９を配置するスペースが形成され、図７に二点鎖線で示すように、成形型３５を把持型３２に向けてスライド移動させて両型３２，３５の対向面同士を当接させることで把持型３２に把持されたウェザーストリップ本体２０の被覆予定端面２１と成形型３５の被覆部成形部５２との間に被覆部２２を成形するキャビティ５２ａが形成されて、該キャビティ５２ａがシート状のゴム材料２９の体積を下回る容積を有するようになっている。
【００４８】
次に、前側ウェザーストリップ１５の製造方法（被覆部２２の成形方法）について説明する。
前側ウェザーストリップ１５を製造する（被覆部２２を成形する）場合には、まず、複合押出成形により補強用の芯材２５が埋設された加硫済みゴム製の長尺な連続ウェザーストリップを所定長さに切断（取付部２３の端面と中空シール部２４の端面とが段差のない同一面となるように切断）したウェザーストリップ本体２０を用意する。この場合、ウェザーストリップ本体２０を製造する工程の後に、本実施例の前側ウェザーストリップ１５の製造方法（把持工程、ゴム材料配置工程、成形工程、接合工程、把持解除工程、取出工程）を実行するようにしても良い。或は、予め製造されたウェザーストリップ本体２０を購入や支給等により入手して、本実施例の前側ウェザーストリップ１５の製造方法を実行するようにしても良い。
【００４９】
また、製造能率の観点から製造装置３０の把持型３２と成形型３５をヒータ６４，６５で加熱して、把持型３２と成形型３５の温度をシート状のゴム材料２９を加硫可能な温度（例えば１８０〜２５０℃）まで予め上昇させておくのが好ましい。
【００５０】
この後、把持工程を実行する。この把持工程では、図５に示すように、把持型３２と成形型３５を離間させた状態で、把持型３２の上型３７を開放位置へ移動させて把持型３２を開放状態にしておく。この状態で、把持型３２の下型３８に、ウェザーストリップ本体２０をセットする。その際、図７に示すように、ウェザーストリップ本体２０の中空シール部２４の切断端面を位置決め板４８に当接させることで、ウェザーストリップ本体２０の被覆予定端面２１（取付部２３の切断端面）を把持型３２の対向面３２ａよりも所定寸法、即ち、位置決め板４８の厚さと同一寸法だけ後退した位置に位置決めする。この後、把持型３２の上型３７を閉鎖位置へ移動させて把持型３２を閉鎖状態にすることで、上型把持部４６と下型把持部４７とによってウェザーストリップ本体２０を把持して、把持型３２に対するウェザーストリップ本体２０の移動が阻止されるようにする。
【００５１】
把持工程の実行後、把持型３２に把持されたウェザーストリップ本体２０の被覆予定端面２１と成形型３５の被覆部成形部５２との間に未加硫のシート状のゴム材料２９を配置するゴム材料配置工程を実行する。このゴム材料配置工程では、把持型３２と成形型３５を離間させた状態で、把持型３２の対向面３２ａのうちのウェザーストリップ本体２０の被覆予定端面２１が露出した部分に、未加硫ゴム材料で形成されたシート状のゴム材料２９を貼り付ける。その際、シート状のゴム材料２９は、把持型３２と成形型３５とを当接させたときに把持型３２に把持されたウェザーストリップ本体２０の被覆予定端面２１と成形型３５の被覆部成形部５２との間に形成されるキャビティ５２ａの容積を上回る体積を有し、且つ、ウェザーストリップ本体２０の被覆予定端面２１を上回る外形を有するように形成しておく。これにより、ウェザーストリップ本体２０の被覆予定端面２１を上回る外形のシート状のゴム材料２９で被覆部２２を成形することができるので、ウェザーストリップ本体２０の被覆予定端面２１を被覆するのに十分な大きさの被覆部２２を確実に成形することができる。
【００５２】
ゴム材料配置工程の実行後に、成形工程を実行する。この成形工程では、成形型３５を接近移動させて把持型３２と成形型３５を当接させる。これにより、ウェザーストリップ本体２０の被覆予定端面２１と被覆部成形部５２との間に挟まれたゴム材料２９を厚さ方向に圧縮すると共にキャビティ５２ａ内で該厚さ方向と交差する方向に流動させてウェザーストリップ本体２０の被覆予定端面２１と被覆部成形部５２との間に形成されたキャビティ５２ａ内にゴム材料２９を充填して被覆部２２を成形すると共に、被覆部成形部５２の外周に沿って環状に設けられた切断刃５６の先端が把持型３２の対向面３２ａに当接して被覆部２２の外周に沿ってシート状のゴム材料２９の余分な部分（被覆部成形部５２の外周側にはみ出した部分）を切断する。
【００５３】
この際、ヒータ６４，６５で加熱された把持型３２と成形型３５からの伝導熱でゴム材料２９が加熱されるため、ゴム材料２９のムーニー粘度が一時的に低下して流動良好な状態になり、ゴム材料２９が流動良好な状態のときに、ゴム材料２９の一部を更に流動させて取付部２３の芯材２５との空隙に入り込ませる。この際、取付部２３が僅かに発泡したゴム材料（内部に多数の微小な気泡を有するゴム材料）で成形されている場合には、ゴム材料２９の一部を取付部２３の切断端面に露出した多数の微細孔にも入り込ませることができる。
【００５４】
成形工程の実行後に、接合工程を実行する。この接合工程では、把持型３２と成形型３５を当接させた状態で所定の加硫所要時間（例えば６０秒）だけ維持する。これにより、ヒータ６４，６５で加熱された把持型３２と成形型３５からの伝導熱でゴム材料２９を加硫させると共に、ゴム材料２９で成形された被覆部２２とウェザーストリップ本体２０の被覆予定端面２１とを加硫接合することで、被覆部２２を強固に接合する。この際、取付部２３の空隙や微細孔、切断によって形成された凹凸等による接合面積の増大、空隙や微細孔に入り込んだゴム材料２９のアンカー作用（機械的な嵌まり合いによる固着作用）も付加されるため、被覆部２２とウェザーストリップ本体２０の被覆予定端面２１との接合力を、化学的な加硫接合と接合面積の増大や機械的なアンカー作用といった物理的な接合の両方によって高めることができる。
【００５５】
成形工程の実行後に、把持解除工程を実行して、把持型３２の上型３７を開放位置へ移動させて把持型３２を開放状態にすることで、把持型３２によるウェザーストリップ本体２０の把持を解除する。
【００５６】
把持工程の実行後に、取出工程を実行して、ウェザーストリップ本体２０の被覆予定端面２１（取付部２３の切断端面）に被覆部２２が接合された前側ウェザーストリップ１５を把持型３２から取り出す。これにより、ウェザーストリップ本体２０の被覆予定端面２１が被覆部２２で被覆された前側ウェザーストリップ１５の製造が完了する。
【００５７】
以上説明した本実施例１では、把持型３２に把持されたウェザーストリップ本体２０の被覆予定端面２１と成形型３５の被覆部成形部５２との間に未加硫のシート状のゴム材料２９を配置した後、成形型３５を接近移動させて両型３２，３５を当接させることで、ウェザーストリップ本体２０の被覆予定端面２１と被覆部成形部５２との間に形成されたキャビティ５２ａ内にゴム材料２９を充填して被覆部２２を成形し、この被覆部２２とウェザーストリップ本体２０の被覆予定端面２１とを加硫接合するようにしたので、ウェザーストリップ本体２０の被覆予定端面２１（芯材２５が埋設された取付部２３の切断端面）をゴムの被覆部２２で被覆することができ、前側ウェザーストリップ１５の切断端面に芯材２５が露出することを確実に防止することができる。これにより、芯材２５の切断端面の錆びを防止することができ、錆汁による前側ウェザーストリップ１５や車体パネル１１の見栄えの悪化を未然に防止することができると共に、芯材２５の切断端面による車体パネル１１の傷付きや作業者の怪我を未然に防止することができる。
【００５８】
また、ウェザーストリップ本体２０の被覆予定端面２１と被覆部成形部５２との間に形成されたキャビティ５２ａで被覆部２２を成形することができるため、芯材２５の露出を防止する形状の被覆部２２をばらつきなく安定して成形することができる。更に、ウェザーストリップ本体２０の被覆予定端面２１に被覆部２２を加硫接合させることができるため、ウェザーストリップ本体２０の被覆予定端面２１に被覆部２２を強固に接合することができる。
【００５９】
また、本実施例１では、把持型３２と成形型３５を一直線上で対向するように配置したので、ウェザーストリップ本体２０の被覆予定端面２１に対して被覆部２２（シート状のゴム材料２９）をほぼ直角に押圧して接合することができ、ウェザーストリップ本体２０の被覆予定端面２１に被覆部２２を確実に且つ強固に接合することができる。
【００６０】
しかしながら、把持型３２と成形型３５を一直線上で対向するように配置した構成に限定されず、ウェザーストリップ本体２０の端末が斜めに切断される仕様では、把持型３２と成形型３５を対応する斜め方向に対向するように配置した構成としても良い。
【００６１】
更に、本実施例１では、把持型３２の入れ子４４，４５に把持部４６，４７を形成すると共に、成形型３５の入れ子５０，５１に被覆部成形部５２を形成するようにしたので、把持型３２の入れ子４４，４５と成形型３５の入れ子５０，５１を交換することで、他の断面形状のウェザーストリップに対応することができる。また、把持型３２の入れ子４４，４５や成形型３５の入れ子５０，５１を取り外した状態で清掃、修理等のメインテナンス作業を行うことができ、メインテナンス作業が容易になる。
【００６２】
しかしながら、把持型３２と成形型３５は、必ずしも入れ子を備えた構成に限定されず、把持型３２と成形型３５のうちの一方又は両方を、入れ子を備えていない構成としても良い。
【００６３】
また、本実施例１では、成形型３５の被覆部成形部５２の外周に沿って切断刃５６を設け、ウェザーストリップ本体２０の被覆予定端面２１と被覆部成形部５２との間に形成されたキャビティ５２ａ内にゴム材料２９を充填して被覆部２２を成形する際にゴム材料２９のうちの被覆部成形部５２の外周側にはみ出た部分を切断刃５６で切断するようにしたので、被覆部２２の成形と同時にゴム材料２９の余分な部分を切断刃５６で切断する（つまり被覆部２２の外周に沿ってゴム材料２９を切断する）ことができ、取出工程後に被覆部２２の外周に沿ってゴム材料２９を切断する工程を別途設ける必要がなくなる。
【００６４】
しかしながら、成形型３５に切断刃５６を設けた構成に限定されず、把持型３２に切断刃を設けても良く、又は、把持型３２と成形型３５の両方に切断刃を設けても良い。或は、把持型３２と成形型３５のいずれにも切断刃を設けない構成として、取出工程後に被覆部２２の外周に沿ってゴム材料２９を切断する工程を実行するようにしても良い。
【００６５】
また、上記実施例１では、ウェザーストリップ本体２０の切断端面のうちの取付部２３の切断端面を被覆部２２で被覆するようにしたが、更に、中空シール部２４の切断端面や保持リップ２６の切断端面を被覆部で被覆するようにしても良く、ウェザーストリップ本体２０の切断端面のうちの被覆部で被覆する範囲は、適宜変更しても良い。
【００６６】
また、上記実施例１では、把持型３２に位置決め板４８を固定するようにしたが、把持型３２の対向面３２ａの前方に位置決め部材を突出させ、把持型３２の下型３８にウェザーストリップ本体２０をセットする際に、ウェザーストリップ本体２０の切断端面を位置決め板部材に当接させてウェザーストリップ本体２０の切断端面が対向面３２ａと同一位置となるように位置決めをして、把持型３２を閉鎖状態にした後、位置決め部材を把持型３２の対向面３２ａの前方から退避させるようにしても良い。
【００６７】
また、上記実施例では、把持型３２を固定して成形型３５を移動可能に設けるようにしたが、これとは逆に、成形型３５を固定して把持型３２を移動可能に設ける構成にしても良い。或は、把持型３２と成形型３５の両方を移動可能に設ける構成にしても良い。
【００６８】
また、上記実施例では、製造装置３０は、前側ウェザーストリップ１５を１本だけ製造する構成にしたが、複数本の前側ウェザーストリップ１５を同時に製造する構成にしても良い。更に、把持型３２は、上型３７と下型３８とで構成されるものに限らず、これに代えて、第１と第２の横型としても良い。
【実施例２】
【００６９】
次に、図８及び図９を用いて本発明の実施例２を説明する。
前記実施例１は、自動車のリアドア開口縁１２に沿って装着されるウェザーストリップ１５に本発明を適用したものであるが、本実施例２は、住宅等の建築物の外壁材の目地に沿って装着される目地材６６に本発明を適用したものである。但し、製造方法と製造装置は、前記実施例１で説明した技術を利用できるため、主として目地材６６の構成について説明する。
【００７０】
図８に示すように、目地材６６（トリム材）は、複合押出成形により連続的に成形されて補強用の芯材６７（図９参照）が埋設された加硫済みゴム製の長尺な連続目地材（連続トリム材）を所定長さに切断した目地材本体６８（トリム材本体）と、この目地材本体６８の一方又は両方の切断端面のうちの後述する被覆予定端面６９（図９参照）を被覆するゴム製の被覆部７０とから構成されている。
【００７１】
図９に示すように、目地材本体６８は、ＥＰＤＭ等のゴム材料の押出成形により頭部７１と脚部７２とが一体的に形成され、頭部７１と脚部７２には、金属板で形成された補強用の芯材６７が複合押出成形により埋設されている。また、頭部７１の両側部には、それぞれ外側に向けて突出する意匠リップ７３が一体的に形成され、脚部７２の両側部には、それぞれ外側に向けて突出する複数の保持リップ７４が一体的に形成されている。
【００７２】
また、目地材本体６８の切断端面のうちの意匠リップ７３と保持リップ７４を除いた部分（つまり芯材６７が埋設された頭部７１と脚部７２の切断端面）が被覆予定端面６９であり、図８に示すように、この被覆予定端面６９が被覆部７０によって被覆されている。この被覆部７０は、前記実施例１で説明した技術を利用してＥＰＤＭ等の未加硫ゴム材料で形成されたシート状のゴム材料を用いて成形されると共に加硫接合により被覆予定端面６９に一体的に接合されている。
【００７３】
以上説明した本実施例２では、目地材本体６８の被覆予定端面６９（芯材６７が埋設された頭部７１と脚部７２の切断端面）を被覆部７０で被覆することができ、目地材６６の切断端面に芯材６７が露出することを確実に防止することができる。これにより、芯材６７の切断端面の錆びを防止することができ、錆汁による目地材６６や外壁材の見栄えの悪化を未然に防止することができると共に、芯材６７の切断端面による外壁材の傷や作業者の怪我を未然に防止することができる。
【００７４】
尚、上記実施例２では、目地材本体６８の切断端面のうちの頭部７１と脚部７２の切断端面を被覆部７０で被覆するようにしたが、更に、意匠リップ７３の切断端面や保持リップ７４の切断端面を被覆部で被覆するようにしても良く、目地材本体６８の切断端面のうちの被覆部で被覆する範囲は、適宜変更しても良い。
【００７５】
また、上記各実施例１，２では、金属製の芯材を埋設したトリム材（ウェザーストリップ又は目地材）に本発明を適用したが、硬質樹脂製の芯材を埋設したトリム材に本発明を適用しても良い。
【００７６】
その他、本発明の適用範囲は、自動車のリアドア開口縁に装着されるウェザーストリップや外壁材の目地に装着される目地材に限定されず、例えば、自動車のフロントドア開口縁に装着されるウェザーストリップ、バックドア開口縁やトランク開口縁に装着されるウェザーストリップ、スライドドア開口縁に装着される直線状のウェザーストリップ、中空シール部等のシール部を備えていないトリム材等、芯材が埋設された種々のトリム材に本発明を適用して実施できる。
【図面の簡単な説明】
【００７７】
【図１】本発明の実施例１におけるウェザーストリップが装着された車両の側面図である。
【図２】実施例１の前側ウェザーストリップの斜視図である。
【図３】実施例１のウェザーストリップ本体の斜視図である。
【図４】製造装置の側面図である。
【図５】把持型の正面図である。
【図６】成形型の正面図である。
【図７】図４のＡ−Ａ断面図である。
【図８】実施例２の目地材の斜視図である。
【図９】実施例２の目地材本体の斜視図である。
【符号の説明】
【００７８】
１３…ウェザーストリップ（トリム材）、１５…前側ウェザーストリップ、２０…ウェザーストリップ本体（トリム材本体）、２１…被覆予定端面、２２…被覆部、２３…取付部、２４…中空シール部、２５…芯材、２６…保持リップ、２９…ゴム材料、３０…製造装置、３２…把持型、３５…成形型、３７…上型、３８…下型、４４，４５…入れ子、４６，４７…把持部、４８…位置決め板（位置決め部材）、５０，５１…入れ子、５２…被覆部成形部、５３…微小隙間（ガス抜き手段）、５６…切断刃、６２…入れ子位置調整ボルト、６４，６５…ヒータ、６６…目地材（トリム材）、６７…芯材、６８…目地材本体（トリム材本体）、６９…被覆予定端面、７０…被覆部、７１…頭部、７２…脚部、７３…意匠リップ、７４…保持リップ
【図１】
0004492971.tif 000002
【図２】
0004492971.tif 000003
【図３】
0004492971.tif 000004
【図４】
0004492971.tif 000005
【図５】
0004492971.tif 000006
【図６】
0004492971.tif 000007
【図７】
0004492971.tif 000008
【図８】
0004492971.tif 000009
【図９】
0004492971.tif 000010